(57)【要約】【課題】利用者が個性を十分に発揮することができ、参加者も楽しむことができるイベント演出システム１を提供し、利用者および参加者の満足度を向上させる。【解決手段】イベント演出システム１に、イベントに関連して利用する動画映像をメッセージファイル２１として登録する管理端末５と、登録された前記動画映像を記憶する管理データベース３と、前記動画映像を閲覧可能なＵＲＬを示すＱＲコードを作成する管理端末５と、該ＱＲコードを印刷するプリンタ６と、イベント参加者の携帯電話機７により前記ＱＲコードが読取られて前記ＵＲＬにアクセスされると、該アクセス情報に対応する前記動画映像を前記携帯電話機７に送信するＷＥＢサーバ２とを備えた。【選択図】図１
2009282876.tif 000002
【特許請求の範囲】
【請求項１】
イベントに関連して利用する動画映像情報を登録する登録手段と、
登録された前記動画映像を記憶する記憶手段と、
前記動画映像を閲覧可能なＵＲＬを示す二次元コードを作成する二次元コード作成手段と、
該二次元コードを印刷する印刷手段と、
イベント参加者の携帯情報端末により前記二次元コードが読取られて前記ＵＲＬにアクセスされると、該アクセス情報に対応する前記動画映像を前記携帯情報端末に送信する応答手段とを備えた
イベント演出システム。
【請求項２】
前記登録手段は、
前記動画映像情報として、通常表示する通常時動画映像情報と、所定条件に該当するときに表示する特定条件時動画映像情報とを登録すると共に、前記所定条件を示す条件情報を登録する構成とし、
前記応答手段は、
前記携帯情報端末からアクセスされると、該アクセス情報に対応する条件情報を参照し、
該条件情報の条件に該当するか否か判定し、
該当しなければ、前記アクセス情報に対応する前記通常時動画映像情報を前記携帯情報端末に送信し、
該当すれば、前記特定条件時動画映像情報を前記携帯情報端末に送信する構成である
請求項１記載のイベント演出システム。
【請求項３】
前記記憶手段に、前記動画映像情報を表示許可する表示可能期間を記憶する構成とし、
前記応答手段は、
前記携帯情報端末からのアクセスが前記表示可能期間内であれば、前記動画映像情報の前記携帯情報端末への送信を実行し、
前記携帯情報端末からのアクセスが前記表示可能期間内でなければ、前記動画映像情報の前記携帯情報端末への送信を実行しない構成である
請求項１または２記載のイベント演出システム。
【請求項４】
前記印刷手段は、二次元コードを複数部位に分割して各部位を複数の透明体にそれぞれ印刷する構成である
請求項１、２、または３記載のイベント演出システム。
【発明の詳細な説明】
【技術分野】
【０００１】
この発明は、例えば結婚披露宴に代表されるイベントにて演出に使用されるようなイベント演出システムに関する。
【背景技術】
【０００２】
従来より、結婚式の披露宴では、種々の演出が行われている。そして、このような披露宴での演出は、種類が豊富になって多様化してきている。例えば、代表的な演出であるキャンドルサービスでは、従来のろうそくの火に加えて電飾発光するキャンドル台が提案されている（特許文献１参照）。このキャンドル台により、ろうそくの光と電球の光があいまって一層雰囲気を盛り上げられるとされている。
【０００３】
しかし、上記キャンドル台は、利用者である新郎新婦の個別の要望を聞くようなものではなく、カスタマイズも困難なものであった。つまり、近年の利用者は、自分達の個性を出せる演出を好むことが多くなっており、上記キャンドル台のように規格化されたものでは満足しない利用者も存在していた。
【特許文献１】特開平１０−９７８１０号公報
【発明の開示】
【発明が解決しようとする課題】
【０００４】
この発明は、上述の問題に鑑み、利用者が個性を十分に発揮することができ、参加者も楽しむことができるイベント演出システムを提供し、利用者および参加者の満足度を向上させることを目的とする。
【課題を解決するための手段】
【０００５】
この発明は、イベントに関連して利用する動画映像情報を登録する登録手段と、登録された前記動画映像を記憶する記憶手段と、前記動画映像を閲覧可能なＵＲＬ（Uniform Resource Locator）を示す二次元コードを作成する二次元コード作成手段と、該二次元コードを印刷する印刷手段と、イベント参加者の携帯情報端末により前記二次元コードが読取られて前記ＵＲＬにアクセスされると、該アクセス情報に対応する前記動画映像を前記携帯情報端末に送信する応答手段とを備えたイベント演出システムであることを特徴とする。
【０００６】
前記登録手段は、登録画面を表示装置に表示してキーボードやマウスなどの入力装置で情報を入力させる登録処理を実行するＣＰＵなどの制御装置で構成することができる。
【０００７】
前記記憶手段は、ハードディスクなどの情報を記憶できる装置で構成することができる。  
前記二次元コードは、マトリックス型やスタック型などの二次元のコードで構成することができる。
【０００８】
前記二次元コード作成手段は、ＵＲＬを示す文字情報をコード化して二次元コードの画像情報を作成する処理を行う制御装置で構成することができる。  
前記印刷手段は、カラープリンタやモノクロプリンタなど、二次元コードの画像を印刷できる適宜の印刷装置で構成することができる。
【０００９】
前記携帯情報端末は、携帯電話機やＰＤＡ（Personal Digital Assistants）やノートパソコンなど、通信可能な適宜の情報端末で構成することができる。  
前記アクセス情報は、携帯情報端末から受け取るＵＲＬ情報、携帯情報端末がアクセスしてきた時の日時情報、あるいはこれらの両方など、アクセスに関する適宜の情報で構成することができる。
【００１０】
前記応答手段は、通信装置により情報を応答送信する処理を行う制御装置で構成することができる。  
前記イベントは、結婚式の披露宴、祝賀パーティー、または葬式など、適宜のイベントとすることができる。
【００１１】
この発明により、利用者が個性を十分に発揮することができ、参加者も楽しむことができるイベント演出システムを提供し、利用者および参加者の満足度を向上させることができる。
【００１２】
この発明の態様として、前記登録手段は、前記動画映像情報として、通常表示する通常時動画映像情報と、所定条件に該当するときに表示する特定条件時動画映像情報とを登録すると共に、前記所定条件を示す条件情報を登録する構成とし、前記応答手段は、前記携帯情報端末からアクセスされると、該アクセス情報に対応する条件情報を参照し、該条件情報の条件に該当するか否か判定し、該当しなければ、前記アクセス情報に対応する前記通常時動画映像情報を前記携帯情報端末に送信し、該当すれば、前記特定条件時動画映像情報を前記携帯情報端末に送信する構成とすることができる。
【００１３】
前記通常時動画映像情報は、通常時にアクセスがあった際に再生表示するための動画映像情報であり、例えば歓迎メッセージを録画した動画映像や、お礼メッセージを録画した動画映像など、適宜の映像で構成することができる。
【００１４】
前記特定条件時動画映像情報は、特定条件に該当する際に再生表示するための動画映像情報であり、例えばゲームなどに使用するサプライズ企画用の動画映像や、映像の内容を通常と切り替えてイベント参加者を楽しませるためのサプライズ映像など、例外的に再生表示する映像で構成することができる。
【００１５】
前記条件情報は、予め定めた時間帯、予め定められたアクセス回数、適宜の入力手段によって通常時と特定時とを切り替え可能にして特定時に切り替えている間など、適宜の条件に設定することができる。
【００１６】
この態様により、普段は通常時動画映像情報を送信し、特定の条件に該当するときだけ特定条件時動画映像情報を送信することができる。これにより、イベント参加者をより楽しませることができる。
【００１７】
またこの発明の態様として、前記記憶手段に、前記動画映像情報を表示許可する表示可能期間を記憶する構成とし、前記応答手段は、前記携帯情報端末からのアクセスが前記表示可能期間内であれば、前記動画映像情報の前記携帯情報端末への送信を実行し、前記携帯情報端末からのアクセスが前記表示可能期間内でなければ、前記動画映像情報の前記携帯情報端末への送信を実行しない構成とすることができる。  
これにより、別人の新郎新婦の動画映像が過って表示されることを防止することができ、イベント参加者が気分を害することを防止することができる。また、動画映像が表示されないことで、二次元コードが過っていることを認識でき、正しい二次元コードに交換することが可能となる。
【００１８】
またこの発明の態様として、前記印刷手段は、二次元コードを複数部位に分割して各部位を複数の透明体にそれぞれ印刷する構成とすることができる。  
前記透明体は、例えば複数の透明プラスチックケースで構成し、これらの透明プラスチックを重ねることが可能なようにサイズが少しずつことなるように形成するなど、適宜の構成とすることができる。
【００１９】
この発明により、複数部位に分かれた二次元コードを、透明体を組み合わせることで１つの二次元コードに合体させることができ、パズルのような楽しさを付加することができる。
【発明の効果】
【００２０】
この発明により、利用者が個性を十分に発揮することができ、参加者も楽しむことができるイベント演出システムを提供し、利用者および参加者の満足度を向上させることができる。
【発明を実施するための最良の形態】
【００２１】
この発明の一実施形態を以下図面と共に説明する。  
図１は、イベント演出システム１の全体構成を示すシステム構成図である。
【００２２】
イベント演出システム１は、インターネット４と、該インターネット４に接続されたＷＥＢサーバ２、管理端末５、プリンタ６、携帯電話機７、およびプロジェクタ装置１０により構成されている。
【００２３】
ＷＥＢサーバ２、および管理端末５は、コンピュータで構成されており、いずれもキーボードやマウスといった入力装置、ＣＲＴディスプレイまたは液晶ディスプレイといった表示装置、ＬＡＮボードなどの通信装置、ハードディスクなどの記憶装置、フレキシブルディスクドライブなどの記憶媒体読み書き装置、ＵＳＢなどの外部接続インターフェース、およびこれらを制御するＣＰＵとＲＯＭとＲＡＭといった制御装置が設けられている。また、ＷＥＢサーバ２の記憶装置には、管理データベース３が記憶されている。
【００２４】
プリンタ６は、ラベル用紙、シール紙、あるいはカードなどの媒体にＱＲコード（マトリックス型の二次元コードの一例）を印刷できるプリンタであり、管理端末５から受信する印刷信号に従って適宜の印刷を行う。
【００２５】
携帯電話機７は、基地局と無線通信する通信装置、マイクなどの集音装置、スピーカなどの音声出力装置、押下ボタンなどの入力装置、液晶ディスプレイなどの表示装置、デジタルカメラなどの撮像手段、不揮発性メモリなどの記憶装置、およびＣＰＵとＲＯＭとＲＡＭといった制御装置が設けられている。この携帯電話機７の制御装置には、種々のプログラムとデータが記憶されており、ＱＲコードを読み取る二次元コード読取プログラム、およびインターネット４を介してＷＥＢサーバ２にアクセスするブラウザプログラム等も記憶されている。
【００２６】
披露宴会場には複数のテーブルＴが設置され、そのテーブルＴの卓上にはＱＲコード付きキャンドル８が載置されている。このＱＲコード付きキャンドル８には、ＱＲコード９が付されている。このＱＲコード９は、テーブルＴ毎に異なるデータが記憶されている。
【００２７】
プロジェクタ装置１０は、スクリーンＳに動画映像を投影するプロジェクタと、インターネット４を介してＷＥＢサーバ２と通信する通信装置と、各種制御動作を行う制御装置とで構成されている。このプロジェクタ装置１０は、ＷＥＢサーバ２から動画映像のファイルを受信し、この動画映像をスクリーンＳに投影する。
【００２８】
図２は、管理データベース３に記憶されている映像データの構成図である。  
ここで、映像データは、まずユーザフォルダ１１によってユーザ別（新郎新婦別）に分けられている。各ユーザフォルダ１１内には、メッセージフォルダ１５、サプライズフォルダ１６、および条件設定フォルダ１７が設けられている。
【００２９】
メッセージフォルダ１５には、メッセージファイル２１が複数記憶されている。このメッセージファイル２１は、新郎新婦からのメッセージを動画映像により記憶したものであり、各テーブル用に複数種類が記憶されている。
【００３０】
サプライズフォルダ１６は、サプライズファイル２３を１または複数記憶している。このサプライズファイル２３は、様々な映像で構成することができる。  
例えば、この映像が表示されたテーブルＴの人はジャンケンをし、負けた人は着ぐるみを着てスピーチしなければならない旨の映像とすることができる。
【００３１】
この着ぐるみを着てスピーチしなければならない旨の映像は、例えばイベント参加者毎にＱＲコード９を配布しておき、所定回数のアクセスに該当した人に向けて表示する、あるいは特定のＱＲコード９を読み取ってアクセスした人に向けて表示するなど、イベント参加者の誰に当たるか判らない形で表示することもできる。
【００３２】
また、祝辞の言葉を単語で区切ってテーブルＴ別にサプライズファイル２３に割り与えておけば、テーブルＴ単位で順番に単語を読み上げてもらって、全員参加型祝辞をする演出に利用することもできる。
【００３３】
また、ドレス宛クイズ用の映像をテーブルＴ毎に表示し、お色直し後に当たったかどうかを確認してプレゼントを配布する演出に利用することもできる。    
このように、サプライズファイル２３には、新郎新婦の希望に応じた適宜の映像が記憶されている。
【００３４】
条件設定フォルダ１７は、メッセージファイル２１とサプライズファイル２３のどちらを表示するかを決定するための条件を示す条件設定ファイル２５を記憶するフォルダである。この条件設定ファイル２５は、例えば、所定回数目のアクセスの際にメッセージファイル２１ではなくサプライズファイル２３の映像を送信するという条件設定、あるいは所定時間にアクセスされたときはメッセージファイル２１ではなくサプライズファイル２３の映像を送信するといった条件設定など、通常の送信データと異なる送信データを送信する条件を設定しておくとよい。
【００３５】
図３は、映像データの構成を説明する説明図である。図３（Ａ）は、メッセージファイル２１に記憶されている映像データ４１の説明図であり、図３（Ｂ）は、サプライズファイル２４に記憶されている映像データ４２の説明図である。
【００３６】
図３（Ａ）に示すように、映像データ４１は、新郎新婦の姿が映っている。そして、新郎新婦の肉声による音声がながれる。  
図３（Ｂ）に示すように、映像データ４２は、新郎新婦の姿が特に映っておらず、代わりに「サプライズ企画」の文字と、サプライズ企画内容などを示す映像が表示される。
【００３７】
図４は、新郎新婦よりイベント演出システム１の利用申し込みがあった際に、管理端末５が映像などのデータを管理データベース３に登録する処理を示すフローチャートである。
【００３８】
管理端末５は、図示省略する登録画面を表示し、係員によりユーザ情報として新郎新婦の氏名、連絡先、式場、会場、および式日時などが入力されると、インターネット４を介してＷＥＢサーバ２の管理データベース３に登録する（ステップＳ１）。
【００３９】
管理端末５は、登録するメッセージ映像の入力を受け付け、受け付けたメッセージ映像を管理データベース３にメッセージファイル２１として登録する（ステップＳ２）。
【００４０】
管理端末５は、登録するサプライズ映像の入力を受け付け、受け付けたサプライズ映像を管理データベース３にサプライズファイル２３として登録する（ステップＳ３）。
【００４１】
管理端末５は、条件設定の入力を受け付け、受け付けた条件設定を管理データベース３に登録し、処理を終了する（ステップＳ４）。なお、この条件設定は、例えば、所定回数目のアクセスの際にメッセージファイル２１ではなくサプライズファイル２３の映像を送信する、あるいは所定時間にアクセスされたときはメッセージファイル２１ではなくサプライズファイル２３の映像を送信するといったように、通常の送信データと異なる送信データを送信する条件を記憶しておくとよい。
【００４２】
管理端末５は、管理データベース３に登録したメッセージファイル２１にアクセスするためのＵＲＬからＱＲコードを作成する（ステップＳ５）。  
管理端末５は、作成したＱＲコードをプリンタ６により印刷する（ステップＳ６）。
【００４３】
この登録動作により、ＱＲコードを発行することができ、ＷＥＢサーバ２は、ＱＲコードに基づいていつアクセスされても、メッセージファイル２１などを送信できる状態となる。
【００４４】
図５は、披露宴の参加者がＱＲコードを携帯電話機７で読み取って映像を表示する動作を示すフローチャートである。  
携帯電話機７は、利用者によって二次元コード読取機能が呼び出され、カメラによってＱＲコードが読取られると（ステップＳ１１）、このＱＲコードにより示されるＵＲＬを表示する。
【００４５】
利用者の操作によってそのＵＲＬへのアクセスが指示入力されると、携帯電話機７は、ＷＥＢサーバ２にアクセスする（ステップＳ１２）。このときアクセスするＵＲＬは、例えばテーブルＴ毎に異なるアドレスとなっている。
【００４６】
ＷＥＢサーバ２は、携帯電話機７からのアクセスを受け付ける（ステップＳ１３）。このとき、アクセスを受けた携帯電話機７の情報を管理データベース３内に記憶する。記憶する情報としては、例えばブラウザ情報、アクセス要求されたＵＲＬ情報、携帯電話機７の個別情報など、適宜の情報とすると良い。
【００４７】
ＷＥＢサーバ２は、アクセスに対する条件設定ファイル２５を参照する（ステップＳ１４）。ここで、携帯電話機７がアクセスしようとするのは、メッセージファイル２１が記憶されているＵＲＬであるから、このアクセス要求を受け取ることで、ユーザフォルダ１１が特定できる。従って、この特定したユーザフォルダ１１内の条件設定ファイル２５を参照することで、ユーザＡ、ユーザＢといったように複数の利用者（新郎・新婦）の情報を登録していても問題なく動作できる。なお、この実施例ではＵＲＬをメッセージファイル２１への直接のアドレスとしているが、これに限らず、例えば識別ＩＤを付加したＵＲＬとし、ＷＥＢサーバ２が識別ＩＤを認識してアクセス先を振り分ける構成にしてもよい。
【００４８】
ＷＥＢサーバ２は、条件設定に該当すれば（ステップＳ１５：Ｙｅｓ）、アクセス要求のあったメッセージファイル２１に対応するサプライズファイル２３を送信する（ステップＳ１６）。
【００４９】
条件設定に該当しなければ（ステップＳ１５：Ｎｏ）、ＷＥＢサーバ２は、アクセス要求のあったメッセージファイル２１を送信する（ステップＳ１７）。
【００５０】
携帯電話機７は、ＷＥＢサーバ２からファイルを受信し（ステップＳ１８）、受信したファイルの映像を表示画面に表示する（ステップＳ１９）。これにより、披露宴の参加者は、メッセージファイル２１を受信した場合にメッセージを動画映像により見ることができ、またサプライズファイル２３を受信した場合にサプライズ内容を示す動画映像を見ることができる。
【００５１】
図６は、イベント会場に設置されているプロジェクタ装置１０の制御装置が実行する動作を説明するフローチャートである。  
プロジェクタ装置１０は、一定時間（例えば１秒や５秒など）が経過するまで待機し（ステップＳ２１：Ｎｏ）、一定時間が経過すると（ステップＳ２１：Ｙｅｓ）、ＷＥＢサーバ２にアクセスする。
【００５２】
ＷＥＢサーバ２は、プロジェクタ装置１０からのアクセスを受け付け（ステップＳ２３）、携帯電話機７によるアクセス状況を参照する（ステップＳ２４）。  
所定のアクセスがあれば（ステップＳ２５：Ｙｅｓ）、ＷＥＢサーバ２は、該当する映像ファイルをプロジェクタ装置１０に応答送信する（ステップＳ２６）。
【００５３】
ここで所定のアクセスとは、例えば予め定められた携帯電話機７からのアクセスがあった場合、最新のアクセスがあった場合、あるいは特定のＵＲＬへのアクセスがあった場合など、適宜定めることができる。また、送信する映像ファイルは、メッセージファイル２１、あるいはサプライズファイル２３など、適宜の映像ファイルとすることができる。
【００５４】
所定のアクセスが無かった場合（ステップＳ２５：Ｎｏ）、ＷＥＢサーバ２は、アクセス無し情報をプロジェクタ装置１０へ応答送信する（ステップＳ２７）。  
プロジェクタ装置１０は、応答送信されたファイルまたは情報を受信する（ステップＳ２８）。
【００５５】
ファイルを受信しなかった場合（ステップＳ２９：Ｎｏ）、プロジェクタ装置１０は、ステップＳ２１に処理を戻し、一定時間毎のＷＥＢサーバ２へのアクセスを繰り返す。
【００５６】
ファイルを受信した場合（ステップＳ２９：Ｙｅｓ）、プロジェクタ装置１０は、受信した映像ファイルを映像投影してスクリーンＳに映し出し（ステップＳ３０）、処理を終了する。
【００５７】
以上の構成および動作により、利用者は、メッセージファイル２１およびサプライズファイル２３により個性を十分に発揮することができ、イベント参加者も楽しむことができる。
【００５８】
すなわち、イベント参加者は、携帯電話機７のＱＲコード認識機能を利用してＱＲコード９をスキャニングするだけで、ＷＥＢサーバ２にアクセスしてメッセージファイル２１またはサプライズファイル２３を閲覧することができる。従って、操作が非常に簡便であり、解りやすいインターフェースで提供できるため、イベント参加者の利便性を大きく高めることができる。
【００５９】
また、メッセージファイル２１は、テーブルＴ別に登録することができるため、親族向けのメッセージ、上司向けのメッセージ、友人向けのメッセージと、種々のイベント参加者にそれぞれ合わせたメッセージを贈ることができる。
【００６０】
従って、例えば親族向けにこれまでの感謝のメッセージを贈る、上司向けに改まって丁寧なメッセージを贈る、友人向けに楽しい雰囲気で友達らしいメッセージを贈るといったことができる。
【００６１】
また、サプライズファイル２３は、ゲーム内容やゲームで使用する内容などを登録することができるため、イベント会場内を盛り上げるのに役立てることができ、利用者（新郎・新婦）の個性を十分に発揮することができる。
【００６２】
また、携帯電話機７からＷＥＢサーバ２へのアクセスのうち、定められた所定のアクセスが存在すれば、映像ファイルをプロジェクタ装置１０に送信し、スクリーンＳに投影することができる。これにより、例えば親族がアクセスした際のメッセージファイル２１をイベント会場のスクリーンＳに映し出す、あるいはサプライズファイル２３をスクリーンＳに映し出すといったことができる。
【００６３】
従って、例えば、図７の説明図に示すように、テーブル内でジャンケンして負けた人が着ぐるみを着てスピーチするゲームを行うことができる。  
また、図８の説明図に示すように、新郎新婦への祝辞の言葉を一部ずつ各テーブルで割り当てて順番に合唱してもらうゲームを行うことができる。
【００６４】
他にも、図９の説明図に示すように、新婦のお色直しの間に各テーブル代表者がバーコード付きキャンドル８を選んできてテーブルにセットし、携帯電話機７で読み取ってお色直し後の新婦のドレスと同じ映像が表示されたテーブルが当たりとなるゲームを行うことができる。  
このように、種々のゲームでイベント会場を盛り上げることができる。
【００６５】
なお、メッセージファイル２１およびサプライズファイル２３の映像を表示できる期間は、一定期間（例えば披露宴の開始から終わりまで、または披露宴が行われる当日のみ等）に限定してもよい。
【００６６】
この場合、例えば管理データベース３に表示可能期間を登録しておき、ステップＳ１３とＳ１４の間で一定期間内であるか否か判定し、一定期間内であればステップＳ１４処理を進め、そうでなければエラーメッセージを応答送信する構成にすればよい。
【００６７】
これにより、別の日程で披露宴を行う別のユーザのＱＲコード９が紛れ込んだ場合に、アクセスすると別人の新郎新婦によるメッセージが表示されるといったことを防止できる。つまり、何も表示されないか、エラー表示されるため、知らない他人を見て気分を害することなく、正しいＱＲコード９に交換することができる。
【００６８】
また、会場セッティングの際も、係員は、自分の携帯電話機でＱＲコード９を読取れば、正しく表示されるか否かによって、新郎新婦の顔を覚えていなくても間違いがないか判断できるため、誤ったＱＲコード９の設置を確実に防止できる。
【００６９】
また、携帯電話機のＧＰＳ機能を利用し、特定の会場（特定の緯度・経度の範囲）で特定の時間帯（または特定の日）にのみ表示できるように構成してもよい。この場合も、ＱＲコード９の間違いにより異なった映像を見てしまうことをより確実に防止できる。また、会場セッティングの際の間違いもより確実に防止できる。
【００７０】
また、例えば、１つのＱＲコード９を複数部分に分割し、透明素材の上に印刷して、これらのＱＲコード９が正しく結合されるように透明素材を重ね合わせれば携帯電話機７でＱＲコード９を読取れるように構成してもよい。これにより、ＱＲコード９を正しい形にするパズル的な楽しさを追加することができる。
【００７１】
また、上述した実施例ではバーコード付きキャンドル８にＱＲコード９を付したが、これに限らず、席札にＱＲコード９を印刷する、あるいは披露宴の招待状にＱＲコード９を印刷する等、適宜にものにＱＲコード９を印刷することができる。これにより、ＱＲコード９を用いた動画映像による演出を、様々な形で提供することができる。また、テーブルＴ単位でなく、イベント参加者一人一人の単位で動画映像を提供することもできる。
【００７２】
また、イベントは、結婚式の披露宴に限らず、葬式などの他のイベントで利用することもできる。葬式にする場合は、例えば会葬案内状などにＱＲコード９を印刷し、携帯電話機７でアクセスされると個人の動画映像を表示するといった利用を行うことができる。
【００７３】
また、プロジェクタ装置１０がＷＥＢサーバ２に定期的にアクセスして映像ファイルを取得する構成としたが、これに限らず、ＷＥＢサーバ２が携帯電話機７から所定のアクセスを受け付けたときにプロジェクタ装置１０へ映像ファイルを送信するプッシュ型のシステムとしてもよい。この場合も、スクリーンＳに映像を表示することができる。
【００７４】
この発明の構成と、上述の実施形態との対応において、
この発明の記憶手段は、実施形態の管理データベース３に対応し、
以下同様に、
携帯情報端末は、携帯電話機７に対応し、
条件情報は、条件設定ファイル２５に対応し、
動画映像情報は、映像データ４１，４２に対応し、
通常時動画映像情報は、映像データ４１に対応し、
特定条件時動画映像情報は、映像データ４２に対応し、
登録手段は、ステップＳ１〜Ｓ４を実行する管理端末５の制御装置に対応し、
二次元コード作成手段は、ステップＳ５を実行する管理端末５の制御装置に対応し、
印刷手段は、ステップＳ６を実行する管理端末５の制御装置に対応し、
応答手段は、ステップＳ１３〜Ｓ１７を実行するＷＥＢサーバ２の制御装置に対応し、
二次元コードは、ＱＲコードに対応し、
アクセス情報は、ＵＲＬに対応するが、
この発明は、上述の実施形態の構成のみに限定されるものではなく、多くの実施の形態を得ることができる。
【図面の簡単な説明】
【００７５】
【図１】イベント演出システムの全体構成を示すシステム構成図。
【図２】管理データベースに記憶されている映像データ等の構成図。
【図３】映像データの構成を説明する説明図。
【図４】利用申し込み時の登録処理を示すフローチャート。
【図５】映像を表示する動作を示すフローチャート。
【図６】プロジェクタ装置の動作を示すフローチャート。
【図７】イベント会場での映像表示を説明する説明図。
【図８】イベント会場での映像表示を説明する説明図。
【図９】イベント会場での映像表示を説明する説明図。
【符号の説明】
【００７６】
１…イベント演出システム、２…ＷＥＢサーバ、３…管理データベース、５…管理端末、７…携帯電話機、３５…条件設定ファイル、４１…映像データ、４２…映像データ
【図１】
2009282876.tif 000003
【図２】
2009282876.tif 000004
【図３】
2009282876.tif 000005
【図４】
2009282876.tif 000006
【図５】
2009282876.tif 000007
【図６】
2009282876.tif 000008
【図７】
2009282876.tif 000009
【図８】
2009282876.tif 000010
【図９】
2009282876.tif 000011